(57)【要約】【課題】従来タイプと同程度の小型の撮像レンズとしつつも、大口径化された上で、諸収差が良好に補正された、７枚構成の撮像レンズを提供すること。【解決手段】撮像レンズ１０は、物体側より順に、第１レンズＬ１、正の第２レンズＬ２、第３レンズＬ３、第４レンズＬ４、第５レンズＬ５、第６レンズＬ６、及び第７レンズＬ７からなり、第７レンズＬ７の像側面Ｓ７２は、非球面形状を有し、中心以外の有効径内に極値を有する。撮像レンズ１０は、、値θＳ６を第３レンズＬ３の像側面Ｓ３２の有効径内で像側を正とする最も大きな面角度として、以下の条件式  １５＜θＳ６＜４５  を満足するものとなっている。ただし、有効径は、第３レンズＬ３の物体側及び像側のうち、いずれか一方に絞りがあるときは当該一方の絞りの径とし、双方に絞りがあるときは大きい方の径とし、双方に絞りがないときは最大像高に結像する光線束の周縁光線の高さとする。【選択図】図１
2015072404.tif 000002
【特許請求の範囲】
【請求項１】
物体側より順に、第１レンズ、正の第２レンズ、第３レンズ、第４レンズ、第５レンズ、第６レンズ、及び第７レンズからなり、
前記第７レンズの像側面は、非球面形状を有し、中心以外の有効径内に極値を有し、
下記の条件式を満たす、撮像レンズ。
１５＜θＳ６＜４５      …      （１）
θＳ６：前記第３レンズの像側面の有効径内で像側に傾いた場合を正として最も大きな面角度
【請求項２】
前記第７レンズは、光軸近傍において像側に凹面を向けた負レンズである、請求項１に記載の撮像レンズ。
【請求項３】
前記第４レンズよりも物体側に開口絞り有する、請求項１及び２のいずれか一項に記載の撮像レンズ。
【請求項４】
前記第２レンズは、物体側に凸面を向けた正レンズである、請求項１〜３のいずれか一項に記載の撮像レンズ。
【請求項５】
前記第３レンズが像側に凹面を向けた負レンズであり、下記の条件式を満足する、請求項１〜４のいずれか一項に記載の撮像レンズ。
１７＜ν３＜３５      …      （２）
ν３：第３レンズのアッベ数
【請求項６】
前記第４レンズから前記第６レンズまでの各レンズは、少なくとも片側に非球面を有する、請求項１〜５のいずれか一項に記載の撮像レンズ。
【請求項７】
下記の条件式を満たす、請求項１〜６のいずれか一項に記載の撮像レンズ。
０．５＜ｆ４５６／ｆ＜１．０      …      （３）
ｆ４５６：前記第４レンズから前記第６レンズまでの合成焦点距離
ｆ：全系の焦点距離
【請求項８】
下記の条件式を満たす、請求項１〜７のいずれか一項に記載の撮像レンズ。
−１．０＜ｆ７／ｆ＜−０．３      …      （４）
ｆ７：前記第７レンズの焦点距離
ｆ：全系の焦点距離
【請求項９】
下記の条件式を満たす、請求項１〜８のいずれか一項に記載の撮像レンズ。
−０．２＜ｆ／ｆ１＜０．２      …      （５）
ｆ１：前記第１レンズの焦点距離
ｆ：全系の焦点距離
【請求項１０】
下記の条件式を満たす、請求項１〜９のいずれか一項に記載の撮像レンズ。
０．５＜ｆ２／ｆ＜２．０      …      （６）
ｆ２：前記第２レンズの焦点距離
ｆ：全系の焦点距離
【請求項１１】
下記の条件式を満たす、請求項１〜１０のいずれか一項に記載の撮像レンズ。
−３．０＜ｆ３／ｆ＜−１．０      …      （７）
ｆ３：前記第３レンズの焦点距離
ｆ：全系の焦点距離
【請求項１２】
下記の条件式を満たす、請求項１〜１１のいずれか一項に記載の撮像レンズ。
１．０＜ｆ２３／ｆ＜４．０      …      （８）
ｆ２３：前記第２レンズ及び前記３レンズの合成焦点距離
ｆ：全系の焦点距離
【請求項１３】
前記第１レンズの物体側面は、中心以外の有効径内に極値を有する、請求項１〜１２のいずれか一項に記載の撮像レンズ。
【請求項１４】
前記第４レンズよりも物体側に、開口絞りと、当該開口絞りとは別の少なくとも１つの遮光絞りとを有し、下記の条件式を満たす、請求項１〜１３のいずれか一項に記載の撮像レンズ。
０．５＜Φ１／Φ２＜１．２      …      （９）
Φ１：前記開口絞りと前記遮光絞りとのうち、最も物体側にある方の開口径
Φ２：前記開口絞りと前記遮光絞りとのうち、最も像側にある方の開口径
【請求項１５】
下記の条件式を満たす、請求項１〜１４のいずれか一項に記載の撮像レンズ。
２．０＜ＣＴ２/ＥＴ２＜５．０      …      （１０）
ＣＴ２：前記第２レンズの中心厚
ＥＴ２：前記第２レンズの縁厚
【請求項１６】
実質的にパワーを持たない光学素子をさらに有する、請求項１〜１５のいずれか一項に記載の撮像レンズ。
【請求項１７】
請求項１〜１６のいずれか一項に記載の撮像レンズと、前記撮像素子とを備える、撮像装置。
【請求項１８】
請求項１７に記載の撮像装置を備える、携帯端末。
【発明の詳細な説明】
【技術分野】
【０００１】
本発明は、小型の撮像レンズ、並びにこれを組み込んだ撮像装置及び携帯端末に関し、特に７枚のレンズを有する低背に好適な撮像レンズ、撮像装置、及び携帯端末に関する。
【背景技術】
【０００２】
近年、ＣＣＤ（Charge Coupled Device）型イメージセンサーあるいはＣＭＯＳ（Complementary Metal Oxide Semiconductor）型イメージセンサー等の固体撮像素子を用いた撮像素子の高性能化及び小型化に伴い、撮像装置を備えた携帯電話や携帯情報端末が普及しつつある。さらに最近では、上記のような携帯情報端末等に搭載される表示素子の大型化・高精細化を受け、撮像素子も高画素化が求められており、これらの携帯情報端末等に搭載される撮像レンズに対しては、さらなる高性能化への要求が高まっている。このような用途の撮像レンズとして、５枚や６枚構成の撮像レンズが提案されている。最近では、さらなる高性能化を目指し５枚や６枚構成のレンズに比べ収差補正能力の優れた７枚構成のレンズも提案されている（例えば特許文献１、２等参照）。
【０００３】
撮像素子に対する高画素化の要求の一方で、撮像装置の小型化の要求も強く、撮像素子については、高画素化と小型化とを両立するために、画素サイズの小型化が進んでいる。撮像素子の画素サイズが小さくなると、その分１画素当たりで受光できる光量が減少するため、Ｓ／Ｎ比が小さくなることによるノイズや、露光時間が長くなるため発生する手振れによる画像劣化が問題となる。この１画素当たりで受光できる光量の減少に起因する問題の対策のため、より明るいレンズが求められており、最近ではＦ１．９以下の大口径のレンズが求められている。一方で、大口径化は、受光光量の増加には寄与するが、球面収差やコマ収差などの単色収差の発生に繋がり、光学性能を劣化させてしまう。上記特許文献１には、第１レンズが正で、第２レンズが負で、７枚構成の撮像レンズが記載されているが、いずれもＦ２．０以上の暗い撮像レンズであり、十分な大口径化ができていない。また、また、第１レンズの正のパワーが強過ぎるため、Ｆ１．９以下に大口径化した際に球面収差やコマ収差の補正が不足し、性能の維持が難しい。また、上記特許文献２には、第１レンズが負レンズで、第２レンズが正レンズで、７枚構成の撮像レンズが記載されているが、この文献も同じくＦ２．０以上の暗い撮像レンズしか記載されておらず、十分な大口径化ができていない。また、第３レンズの負のパワーが弱いため、大口径化した際に球面収差やコマ収差の補正が不足するため、高性能化が困難になる。
【先行技術文献】
【特許文献】
【０００４】
【特許文献１】中国実用新案公告第２０２８８６７２０号明細書
【特許文献２】中国実用新案公告第２０２８８６７１３号明細書
【発明の概要】
【０００５】
本発明は、このような問題点に鑑みてなされたものであり、従来タイプと同程度の小型の撮像レンズとしつつも、大口径化された上で、諸収差が良好に補正された、７枚構成の撮像レンズを提供することを目的とする。ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００      …      （１１）
ただし、
Ｌ：撮像レンズ全系の最も物体側のレンズ面から像側焦点までの光軸上の距離
２Ｙ：撮像素子の撮像面対角線長（撮像素子の矩形実効画素領域の対角線長）
ここで、像側焦点とは、撮像レンズに光軸と平行な平行光線が入射した場合の像点をいう。なお、撮像レンズの最も像側の面と像側焦点位置との間に、光学的ローパスフィルター、赤外線カットフィルター、又は撮像素子パッケージのシールガラス等の平行平板が配置される場合には、平行平板部分は空気換算距離としたうえで上記Ｌの値を計算するものとする。
【０００６】
値Ｌ／２Ｙについては、より望ましくは、下式の範囲がよい。
Ｌ／２Ｙ＜０．９５      …      （１１）'
【０００７】
上記目的を達成するため、本発明に係る撮像レンズは、物体側より順に、第１レンズ、正の第２レンズ、第３レンズ、第４レンズ、第５レンズ、第６レンズ、及び第７レンズからなり、第７レンズの像側面は、非球面形状を有し、中心以外の有効径内に極値を有し、下記の条件式を満たす。
１５＜θＳ６＜４５      …      （１）
θＳ６：第３レンズの像側面の有効径内で像側に傾いた場合を正として最も大きな面角度
ただし、有効径は、最大像高へ到達する光線束のうち、最も光軸から離れた位置を通過する光線の通過高さのことを示す。具体的には、有効径は、第３レンズの物体側及び像側のうち、いずれか一方に絞りがあるときは当該一方の絞りの径とし、双方に絞りがあるときは大きい方の径とし、双方に絞りがないときは最大像高に結像する光線束の周縁光線の高さとする。また、面角度は、光軸垂線に平行な場合を０度とし、像側に傾いている場合を正の角度とし、物体側に傾いている場合を負の角度とする。極値とは、有効半径内でのレンズ断面形状の曲線において、非球面頂点の接平面又は接線が光軸と垂直な平面又は線分となるような非球面上の点のことである。
【０００８】
本発明に係る撮像レンズでは、物体側に近い第２レンズを正レンズとすることで、全系の主点位置が物体側に寄るため、光学全長の短縮に有利になる。また、第７レンズの像側面を有効径内に極値又は変曲点を持った非球面とすることで、周辺像高の光線が像面へ入射する際の入射角を小さく抑えることが可能になるため、撮像素子の受光効率を向上させることができる。条件式（１）は第３レンズの像側面の有効径内の面角度の最大値を規定している。条件式（１）の下限を上回ることで第３レンズは有効径内の一部もしくは全体に強い負のパワーを持つことが可能になるため、第１レンズ又は第２レンズで発生した球面収差やコマ収差を良好に補正でき、高性能化が可能になる。また、上限を下回ることで、第３レンズの面角度をある程度小さく抑えることができるため、過剰な負のパワーを持つことや、面角度が大き過ぎることによる成形難易度の上昇を防ぐことができる。
【０００９】
本発明の具体的な側面によれば、上記撮像レンズにおいて、第７レンズは、光軸近傍において像側に凹面を向けた負レンズである。
例えばオートフォーカスの撮像装置においては、レンズとセンサーとの距離を変動させる機構が付与されるため、レンズとセンサーとの距離はある程度大きいことが求められる。最終レンズの第７レンズを負レンズとし、なおかつ像側面を凹面とすることで、結像位置を遠ざけることになるため、バックフォーカスを確保することができる。
【００１０】
本発明の別の側面によれば、上記撮像レンズは、第４レンズよりも物体側に開口絞り有する。この場合、射出瞳を像面から遠ざけることができるため、センサー入射角を小さく抑えることができる。
【００１１】
本発明のさらに別の側面によれば、第２レンズは、物体側に凸面を向けた正レンズである。この場合、物体側に主点位置を寄せることになるため、光学全長の短縮に有利になる。
【００１２】
本発明のさらに別の側面によれば、第３レンズが像側に凹面を向けた負レンズであり、下記の条件式を満足する。
１７＜ν３＜３５      …      （２）
ν３：第３レンズのアッベ数
【００１３】
第３レンズを負レンズとすることで、軸上光束径の太い位置に負レンズを配置することになるため、正の第１レンズで発生した軸上色収差の補正が有利になり、高性能化が容易になる。また軸上光線束は正の第２レンズによる屈折で第３レンズに集束光として入射するが、像側に凹面を向けることで、像側面への光線入射角が垂直に近くなり、球面収差の発生を小さく抑えることができる。また条件式（２）の上限を下回る材料を使うことで、第３レンズによる色収差の補正の効果を高めることができ、より高性能化が可能になる。また下限を上回ることで、色収差の補正が過剰にならず適切な補正ができる。
【００１４】
本発明のさらに別の側面によれば、第４レンズから第６レンズまでの各レンズは、少なくとも片側に非球面を有する。この場合、小さいサグ量でもパワーを持たせることができるため、光学全長の短縮に有利になる。また面の形状自由度が増えるため、光学性能の向上にも有利になる。
【００１５】
本発明のさらに別の側面によれば、下記の条件式を満たす。
０．５＜ｆ４５６／ｆ＜１．０      …      （３）
ｆ４５６：第４レンズから第６レンズまでの合成焦点距離
ｆ：全系の焦点距離（以下省略）
【００１６】
条件式（３）は第４レンズから第６レンズの合成焦点距離と全系の焦点距離との比を規定している。条件式（３）の上限を下回ることで、第４レンズから第６レンズで構成されるレンズ群が強い正のパワーを持つことになるため、正の第２レンズとの間で正のパワーを分担することができ、収差の発生を抑えることができる。また、下限を上回ることで第４レンズから第６レンズで構成されるレンズ群の正のパワーが強くなり過ぎないため、収差の発生を小さく抑えることができる。
【００１７】
本発明のさらに別の側面によれば、下記の条件式を満たす。
−１．０＜ｆ７／ｆ＜−０．３      …      （４）
ｆ７：第７レンズの焦点距離
【００１８】
条件式（４）は第７レンズの焦点距離と全系の焦点距離との比を規定している。条件式（４）の下限を上回ることで、第７レンズが負の強いパワーを持つため、充分バックフォーカスを確保することができる。また、条件式の上限を下回ることで、第７レンズの負のパワーが強くなり過ぎないため、バックフォーカスが長くなり過ぎて光学全長の短縮の妨げになるのを防ぐことができる。
【００１９】
本発明のさらに別の側面によれば、下記の条件式を満たす。
−０．２＜ｆ／ｆ１＜０．２      …      （５）
ｆ１：第１レンズの焦点距離
【００２０】
条件式（５）は全系の焦点距離と第１レンズの焦点距離との比を規定している。条件式（５）の範囲を満たすことで、第１レンズが全系のパワーに対して比較的弱いパワーを持つことになり、全系の焦点距離に影響なく、収差補正のみ行なうことができるため、高性能化が可能になる。
【００２１】
本発明のさらに別の側面によれば、下記の条件式を満たす。
０．５＜ｆ２／ｆ＜２．０      …      （６）
ｆ２：第２レンズの焦点距離
【００２２】
条件式（６）は第２レンズの焦点距離と全系の焦点距離との比を規定している。条件式（６）の上限を下回ることで、第２レンズは強い正のパワーを持つことになり、主点位置を物体側に寄せることになるため、光学全長を短くすることができる。また下限を上回ることで、第２レンズの正のパワーが強くなり過ぎないため、球面収差やコマ収差の発生を抑えることができる。
【００２３】
本発明のさらに別の側面によれば、下記の条件式を満たす。
−３．０＜ｆ３／ｆ＜−１．０      …      （７）
ｆ３：第３レンズの焦点距離
【００２４】
条件式（７）は第３レンズの焦点距離と全系の焦点距離との比を規定している。条件式（７）の下限を上回ることで、第３レンズが強い負のパワーを持つことになり、正の第２レンズで発生した軸上色収差や倍率色収差を良好に補正することができる。また、上限を下回ることで、第３レンズの負のパワーが強くなり過ぎないため、色収差の過剰補正や球面収差及びコマ収差の発生を抑えることができる。
【００２５】
本発明のさらに別の側面によれば、下記の条件式を満たす。
１．０＜ｆ２３／ｆ＜４．０      …      （８）
ｆ２３：第２レンズ及び３レンズの合成焦点距離
【００２６】
条件式（８）は、第２レンズ及び第３レンズの合成焦点距離と、全系の焦点距離との比を規定している。条件式（８）の範囲を満たすことで、全系の主点位置を物体側に寄せて光学全長の短縮に有利にしつつ、正の第２レンズと負の第３レンズとのパワーのバランスを色収差の補正が良好になるように保つことができる。
【００２７】
本発明のさらに別の側面によれば、第１レンズの物体側面は、中心以外の有効径内に極値を有する。この場合、中心付近と周辺部とで異なるパワーを持つことになる。第１レンズ通過時は光線束が太いため、球面収差やコマ収差を良好に補正することができる。
【００２８】
本発明のさらに別の側面によれば、第４レンズよりも物体側に、開口絞りと、当該開口絞りとは別の少なくとも１つの遮光絞りとを有し、下記の条件式を満たす。
０．５＜Φ１／Φ２＜１．２      …      （９）
Φ１：開口絞りと遮光絞りとのうち、最も物体側にある方の開口径
Φ２：開口絞りと遮光絞りとのうち、最も像側にある方の開口径
【００２９】
条件式（９）は第４レンズよりも物体側にある絞り部材のうち、最も物体側にある絞りと最も像側にある絞りとについて開口径の比を規定している。大口径レンズにおいては、コマ収差の発生が顕著になり、補正することが難しい。コマ収差を改善させるためには、開口絞り以外に遮光絞りを配置し、周辺像高に結像する光線束のうちコマ収差に寄与する光線を遮断することが考えられる。条件式（９）の範囲を満たすことで、２つの絞り部材の開口径を適切にし、周辺像高の光を十分遮断しコマ収差を改善することができる。
【００３０】
本発明のさらに別の側面によれば、下記の条件式を満たす。
２．０＜ＣＴ２/ＥＴ２＜５．０      …      （１０）
ＣＴ２：第２レンズの中心厚
ＥＴ２：第２レンズの縁厚
ただし、前記第２レンズの縁厚は、第２レンズの物体側面の有効径と像側面の有効径とのうち小さい方の径の位置の光軸方向の厚みとする。
【００３１】
条件式（１０）は第２レンズの中心厚と縁厚の比を規定している。条件式（１０）の下限を上回ることで、第２レンズの縁厚に比べ中心厚が充分厚くなり、大口径化し有効径が拡大した場合でも強い正のパワーを持つことが可能になる。また、上限を下回ることで、縁厚に対し中心厚が厚くなることによって過剰な正のパワーを持ち、球面収差やコマ収差などの収差が劣化することを防ぐことができる。また中心厚に対し縁厚が薄くなり過ぎることによって、レンズの成形難易度が上がるのを防ぐことができる。
【００３２】
本発明のさらに別の側面では、実質的にパワーを持たない光学素子をさらに有する。
【００３３】
本発明に係る撮像装置は、上述の撮像レンズと、撮像素子とを備える。本発明の撮像レンズを用いることで、小型で明るく高性能の撮像装置を得ることができる。
【００３４】
本発明に係る携帯端末は、上述の撮像装置を備える。本発明の撮像装置を用いることで、小型で高性能の携帯端末を得ることができる。
【図面の簡単な説明】
【００３５】
【図１】本発明の一実施形態の撮像レンズを備える撮像装置を説明する図である。
【図２】レンズや遮光絞りの状態を説明する部分拡大断面図である。
【図３】図１の撮像装置を備える携帯端末を説明するブロック図である。
【図４】（Ａ）及び（Ｂ）は、それぞれ携帯端末の表面側及び裏面側の斜視図である。
【図５】実施例１の撮像レンズの断面図である。
【図６】（Ａ）〜（Ｅ）は、実施例１の撮像レンズの収差図である。
【図７】実施例２の撮像レンズの断面図である。
【図８】（Ａ）〜（Ｅ）は、実施例２の撮像レンズの収差図である。
【図９】実施例３の撮像レンズの断面図である。
【図１０】（Ａ）〜（Ｅ）は、実施例３の撮像レンズの収差図である。
【図１１】実施例４の撮像レンズの断面図である。
【図１２】（Ａ）〜（Ｅ）は、実施例４の撮像レンズの収差図である。
【図１３】実施例５の撮像レンズの断面図である。
【図１４】（Ａ）〜（Ｅ）は、実施例５の撮像レンズの収差図である。
【図１５】実施例６の撮像レンズの断面図である。
【図１６】（Ａ）〜（Ｅ）は、実施例６の撮像レンズの収差図である。
【図１７】実施例７の撮像レンズの断面図である。
【図１８】（Ａ）〜（Ｅ）は、実施例７の撮像レンズの収差図である。
【図１９】実施例８の撮像レンズの断面図である。
【図２０】（Ａ）〜（Ｅ）は、実施例８の撮像レンズの収差図である。
【図２１】実施例９の撮像レンズの断面図である。
【図２２】（Ａ）〜（Ｅ）は、実施例９の撮像レンズの収差図である。
【図２３】実施例１０の撮像レンズの断面図である。
【図２４】（Ａ）〜（Ｅ）は、実施例１０の撮像レンズの収差図である。
【発明を実施するための形態】
【００３６】
以下、図１等を参照して、本発明の一実施形態である撮像レンズ等について説明する。なお、図１で例示した撮像レンズ１０は、後述する実施例１の撮像レンズ１１と同一の構成となっている。
【００３７】
図１は、本発明の一実施形態である撮像レンズを備えるカメラモジュールを説明する断面図である。
【００３８】
カメラモジュール５０は、被写体像を形成する撮像レンズ１０と、撮像レンズ１０によって形成された被写体像を検出する撮像素子５１と、この撮像素子５１を背後から保持するとともに配線等を有する配線基板５２と、撮像レンズ１０等を保持するとともに物体側からの光線束を入射させる開口部ＯＰを有する鏡筒部５４とを備える。撮像レンズ１０は、被写体像を撮像素子５１の像面又は撮像面（被投影面）Ｉに結像させる機能を有する。このカメラモジュール５０は、後述する撮像装置に組み込まれて使用されるが、単独でも撮像装置と呼ぶものとする。
【００３９】
撮像レンズ１０は、物体側から順に、第１レンズＬ１と、第２レンズＬ２と、第３レンズＬ３と、第４レンズＬ４と、第５レンズＬ５と、第６レンズＬ６と、第７レンズＬ７とを備える。これらの第１〜第７レンズＬ１〜Ｌ７の間、第１レンズＬ１の物体側等の適所には、開口絞りＡＳや遮光絞りＦＳが絞り部材として配置されている。
【００４０】
撮像レンズ１０は、小型であり、その尺度として、以下の式（１１）を満たすレベルの小型化を目指している。
Ｌ／２Ｙ＜１．００      …      （１１）
ここで、Ｌは、撮像レンズ１０全系の最も物体側のレンズ面Ｓ１１から像側焦点までの光軸ＡＸ上の距離であり、２Ｙは、撮像素子５１の撮像面対角線長（撮像素子５１の矩形実効画素領域の対角線長）であり、像側焦点とは、撮像レンズ１０に光軸ＡＸと平行な平行光線が入射した場合の像点をいう。この範囲を満たすことで、カメラモジュール５０全体の小型化が可能となる。
【００４１】
なお、撮像レンズ１０の最も像側の面（像側面Ｓ７２）と像側焦点位置との間に、光学的ローパスフィルター、赤外線カットフィルター、又は撮像素子パッケージのシールガラス等の平行平板Ｆが配置される場合には、平行平板Ｆ部分は空気換算距離としたうえで上記Ｌの値を計算するものとする。また、より望ましくは下式の範囲とする。
Ｌ／２Ｙ＜０．９５      …      （１１）'
【００４２】
撮像素子５１は、固体撮像素子からなるセンサーチップである。撮像素子５１の光電変換部５１ａは、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの表面は、像面又は撮像面（被投影面）Ｉとなっている。
【００４３】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００４４】
撮像素子５１の撮像レンズ１０側には、不図示のホルダー部材によって、平行平板Ｆが撮像素子５１等を覆うように配置・固定されている。
【００４５】
鏡筒部５４は、撮像レンズ１０を収納し保持している。鏡筒部５４は、撮像レンズ１０を構成するレンズＬ１〜Ｌ７のうちいずれか１つ以上のレンズを光軸ＡＸに沿って移動させることにより、撮像レンズ１０の合焦の動作を可能にするため、例えば駆動機構５５ａを有している。駆動機構５５ａは、例えばボイスコイルモーターとガイドとを備え、特定の又は全部のレンズを光軸ＡＸに沿って往復移動させる。
【００４６】
図２等を参照して、鏡筒部５４内に保持される撮像レンズ１０の状態を説明する。撮像レンズ１０を構成する第１〜第７レンズＬ１〜Ｌ７は、支持用のフランジ部３９をそれぞれ有しており、フランジ部３９を介して隣接するレンズと積層され、鏡筒部分５４ａ内に保持されている。これらのレンズＬ１〜Ｌ７の間には、フランジ部３９に挟まれて１つの開口絞りＡＳと５つの遮光絞りＦＳとが配置され、迷光の発生を防止している。鏡筒部分５４ａの物体側には、第１レンズＬ１の有効径の周囲を覆うような開口絞りＦＳが形成されている。第７レンズＬ７のフランジ部３９の像側にも開口絞りＦＳが配置されている。以上の開口絞りＡＳや遮光絞りＦＳは、いずれも結像に寄与し得る光線を選択的に通過させる絞り部材である。
【００４７】
次に、図３、図４Ａ及び４Ｂを参照して、図１に例示されるカメラモジュール５０を搭載した携帯電話機その他の携帯端末３００の一例について説明する。
【００４８】
携帯端末３００は、スマートフォン型の携帯通信端末であり、カメラモジュール５０を有する撮像装置１００と、各部を統括的に制御するとともに各処理に応じたプログラムを実行する制御部（ＣＰＵ）３１０と、通信に関連するデータ、撮像した映像等を表示するとともにユーザーの操作を受け付けるタッチパネルである表示操作部３２０と、電源スイッチ等を含む操作部３３０と、アンテナ３４１を介して外部サーバー等との間の各種情報通信を実現するための無線通信部３４０と、携帯端末３００のシステムプログラムや各種処理プログラム及び端末ＩＤ等の必要な諸データを記憶している記憶部（ＲＯＭ）３６０と、制御部３１０によって実行される各種処理プログラムやデータ、処理データ、若しくは撮像装置１００による撮像データ等を一時的に格納する作業領域として用いられる一時記憶部（ＲＡＭ）３７０とを備えている。
【００４９】
撮像装置１００は、既に説明したカメラモジュール５０のほかに、制御部１０３、光学系駆動部１０５、撮像素子駆動部１０７、画像メモリー１０８等を備える。
【００５０】
制御部１０３は、撮像装置１００の各部を制御する。制御部１０３は、ＣＰＵ（Central Processing Unit）、ＲＡＭ（Random Access Memory）、ＲＯＭ（Read Only Memory）等を含み、ＲＯＭから読み出されてＲＡＭに展開された各種プログラムとＣＰＵとの協働によって各種処理を実行する。なお、制御部１０３は、撮像装置１００外の制御部３１０と通信可能に接続されており、制御信号や画像データの授受が可能になっている。
【００５１】
光学系駆動部１０５は、制御部１０３の制御により合焦、露出等を行う際に、撮像レンズ１０の駆動機構５５ａを動作させて撮像レンズ１０の状態を制御する。光学系駆動部１０５は、駆動機構５５ａを動作させて撮像レンズ１０中の特定レンズ又は全レンズを光軸ＡＸに沿って適宜移動させることにより、撮像レンズ１０に合焦動作等を行わせる。
【００５２】
撮像素子駆動部１０７は、制御部１０３の制御により露出等を行う際に、撮像素子５１の動作を制御する。具体的には、撮像素子駆動部１０７は、タイミング信号に基づいて撮像素子５１を走査駆動し、これから画像信号を取り出す。また、撮像素子駆動部１０７は、撮像素子５１によって検出されデジタル化された画像信号に対して、歪み補正、色補正、圧縮等の各種画像処理を施すことができる。
【００５３】
画像メモリー１０８は、デジタル化された画像信号を撮像素子駆動部１０７から受け取って、読み出し及び書き込み可能な画像データとして記憶する。
【００５４】
ここで、上記撮像装置１００を含む携帯端末３００の撮影動作を説明する。携帯端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、撮像素子駆動部１０７によって走査駆動され、一定周期毎に結像した光像に対応する光電変換出力としてのアナログ信号を１画面分検出する。
【００５５】
このアナログ信号は、撮像素子５１に付属する回路においてＲＧＢの各原色成分毎に適宜ゲイン調整された後に、デジタルデータに変換される。そのデジタルデータに対しては、撮像素子駆動部１０７にて画素補間処理及びＹ補正処理を含むカラープロセス処理が行われて、デジタル値の輝度信号Ｙ及び色差信号Ｃｂ，Ｃｒ（画像データ）が生成されて画像メモリー１０８に格納される。格納されたデジタルデータは、画像メモリー１０８から定期的に読み出されてビデオ信号の生成に利用され、制御部１０３及び制御部３１０を介して、表示操作部３２０に出力される。
【００５６】
この表示操作部３２０は、モニタリングにおいてはファインダーとして機能し、撮像画像をリアルタイムに表示することとなる。この状態で、随時、ユーザーが表示操作部３２０を介して行う操作入力に基づいて、光学系駆動部１０５の駆動により撮像レンズ１０の合焦、露出等が設定される。
【００５７】
このようなモニタリング状態において、ユーザーが表示操作部３２０を適宜操作することにより、静止画像データが撮影される。表示操作部３２０の操作内容に応じて、画像メモリー１０８に格納された１コマの画像データが読み出されて、撮像素子駆動部１０７により圧縮等の処理が施される。その処理された画像データは、制御部１０３及び制御部３１０を介して、例えば一時記憶部３７０等に記録される。
【００５８】
なお、上述の撮像装置１００は、本発明に好適な撮像装置の一例であり、本発明は、これに限定されるものではない。
【００５９】
すなわち、カメラモジュール５０又は撮像レンズ１０を搭載した撮像装置は、スマートフォン型の携帯端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるであってもよい。
【００６０】
以下、図１等に戻って、本発明の一実施形態である撮像レンズ１０について詳細に説明する。図１に示す撮像レンズ１０は、撮像素子５１の撮像面（被投影面）Ｉに被写体像を結像させるものであって、物体側から順に、第１レンズＬ１と、物体側に凸面を向けた正の第２レンズＬ２と、第３レンズＬ３と、第４レンズＬ４と、第５レンズＬ５と、第６レンズＬ６と、光軸ＡＸ近傍で像側に凹面を向けた負の第７レンズＬ７と、を備える。上記撮像レンズ１０において、第１レンズＬ１の物体側面Ｓ１１は、非球面形状を有し、中心以外の有効径内の位置Ｐに極値を持つ。第２レンズＬ２は、光軸ＡＸ近傍で物体側に凸面を向けた正レンズである。第３レンズは、光軸ＡＸ近傍で像側に凹面を向けた負レンズである。第４〜第６レンズＬ４〜Ｌ６は、対向する光学面Ｓ４１，Ｓ４２，Ｓ５１，Ｓ５２，Ｓ６１，Ｓ６２のうち、少なくとも片側に非球面を有する。第７レンズの像側面Ｓ７２は、光軸ＡＸ近傍で像側に凹面を向けた負レンズであり、非球面形状を有し、中心以外の有効径内の位置Ｐに極値を持つ。この撮像レンズ１０において、第１レンズＬ１の物体側に開口絞りＡＳが配置され、第１及び第２レンズＬ１，Ｌ２の間と、第３及び第４レンズＬ３，Ｌ４の間とに遮光絞りＦＳが配置されている。
【００６１】
上記撮像レンズ１０によれば、物体側に近い第２レンズＬ２を正レンズとすることで、撮像レンズ１０全系の主点位置が物体側に寄るため、光学全長の短縮に有利になる。また、第７レンズＬ７の像側面を有効径内の位置Ｐに極値を持った非球面とすることで、周辺像高の光線が像面Ｉへ入射する際の入射角を小さく抑えることが可能になるため、固体撮像素子を用いた撮像素子５１の受光効率を向上させることができる。
【００６２】
上記撮像レンズ１０においては、値θＳ６を第３レンズの像側面の有効径内で像側を正とする最も大きな面角度として、以下の条件式（１）
１５＜θＳ６＜４５      …      （１）
を満足するものとなっている。ただし、有効径は、第３レンズＬ３の物体側及び像側のうち、いずれか一方に絞りがあるときは当該一方の絞りの径とし、双方に絞りがあるときは大きい方の径とし、双方に絞りがないときは最大像高に結像する光線束の周縁光線の高さとする（実施形態の場合、双方に絞りがあるので大きい方の像側面Ｓ３２の径となる）。
【００６３】
条件式（１）は、第３レンズＬ３の像側面Ｓ３２の有効径内の面角度θＳ６の最大値を規定している。条件式（１）の下限を上回ることで第３レンズＬ３は有効径内の一部もしくは全体に強い負のパワーを持つことが可能になるため、第１レンズＬ１や第２レンズＬ２で発生した球面収差やコマ収差を良好に補正でき、高性能化が可能になる。また、上限を下回ることで、第３レンズＬ３の面角度θＳ６をある程度小さく抑えることができるため、過剰な負のパワーを持つことや、面角度θＳ６が大き過ぎることによる成形難易度の上昇を防ぐことができる。
【００６４】
本実施形態の撮像レンズ１０は、上記条件式（１）に加えて、既に説明した条件式（２）
１７＜ν３＜３５      …      （２）
を満足する。ただし、値ν３は、第３レンズＬ３のアッベ数である。
【００６５】
本実施形態の撮像レンズ１０は、上記条件式（１）等に加えて、既に説明した条件式（３）
０．５＜ｆ４５６／ｆ＜１．０      …      （３）
を満足する。ただし、値ｆ４５６は、第４レンズＬ４から第６レンズＬ６までの合成焦点距離であり、値ｆは、撮像レンズ１０全系の焦点距離である。
【００６６】
本実施形態の撮像レンズ１０は、上記条件式（１）等に加えて、既に説明した条件式（４）
−１．０＜ｆ７／ｆ＜−０．３      …      （４）
を満足する。ただし、値ｆ７は、第７レンズＬ７の焦点距離である。
【００６７】
本実施形態の撮像レンズ１０は、上記条件式（１）等に加えて、既に説明した条件式（５）
−０．２＜ｆ／ｆ１＜０．２      …      （５）
を満足する。ただし、値ｆ１は、第１レンズＬ１の焦点距離である。
【００６８】
本実施形態の撮像レンズ１０は、上記条件式（１）等に加えて、既に説明した条件式（６）
０．５＜ｆ２／ｆ＜２．０      …      （６）
を満足する。ただし、値ｆ２は、第２レンズＬ２の焦点距離である。
【００６９】
本実施形態の撮像レンズ１０は、上記条件式（１）等に加えて、既に説明した条件式（７）
−３．０＜ｆ３／ｆ＜−１．０      …      （７）
を満足する。ただし、値ｆ３は、第３レンズＬ３の焦点距離である。
【００７０】
本実施形態の撮像レンズ１０は、上記条件式（１）等に加えて、既に説明した条件式（８）
１．０＜ｆ２３／ｆ＜４．０      …      （８）
を満足する。ただし、値ｆ２３は、第２レンズＬ２及び３レンズＬ３の合成焦点距離である。
【００７１】
本実施形態の撮像レンズ１０は、上記条件式（１）等に加えて、既に説明した条件式（９）
０．５＜Φ１／Φ２＜１．２      …      （９）
を満足する。ただし、値Φ１は、開口絞りＡＳと遮光絞りＦＳとのうち、最も物体側にある方の開口径であり、値Φ２は、開口絞りＡＳと遮光絞りＦＳとのうち、最も像側にある方の開口径である。
【００７２】
本実施形態の撮像レンズ１０は、上記条件式（１）等に加えて、既に説明した条件式（１０）
２．０＜ＣＴ２/ＥＴ２＜５．０      …      （１０）
を満足する。ただし、値ＣＴ２は、第２レンズＬ２の中心厚であり、値ＥＴ２は、第２レンズＬ２の縁厚である。
【００７３】
本実施形態の撮像レンズ１０では、特に図示していないが、実質的にパワーを持たないレンズその他の光学素子をさらに備えるものとできる。
【００７４】
〔実施例〕
以下、本発明に係る撮像レンズの具体的な実施例について説明する。各実施例において、ｒは曲率半径を意味し、ｄは軸上面間隔を意味し、ｎｄはレンズ材料のｄ線に対する屈折率を意味し、ｖｄはレンズ材料のアッベ数を意味し、「ｅｆｆ．ｄｉａ．」は有効径を意味する。また、各面番号の後に「＊」が記載されている面が非球面形状を有する面であり、非球面の形状は、面の頂点を原点とし、光軸ＡＸ方向にＸ軸をとり、光軸ＡＸと垂直方向の高さをｈとして以下の「数１」で表す。
【数１】
2015072404.tif 000003
ただし、
Ａｉ：ｉ次の非球面係数
Ｒ：曲率半径
Ｋ：円錐定数
さらに、各実施例において、「ＳＴＯ」は開口絞りＡＳを意味し、「ＦＳ」は遮光絞りＦＳを意味する。
なお、各実施例の撮像レンズが前提とする使用基本波長は５８７．５６ｎｍであり、曲率半径等の面形状の単位はｍｍである。
【００７５】
〔実施例１〕
実施例１のレンズ面のデータを以下の表１に示す。
〔表１〕
面番号    r           d        nd       vd     eff. dia.
STO    INFINITY      0.1400                     2.558
2*     -2.6109      0.2257   1.54470   56.2    2.558
3*     -2.4018      0.3824                     2.545
4 FS  INFINITY     -0.3324                     2.626
5*      2.1987      0.6698   1.54470   56.2    2.656
6*     40.2204      0.0500                     2.535
7*      2.5229      0.1500   1.63469   23.9    2.453
8*      1.5103      0.3682                     2.426
9 FS  INFINITY      0.0500                     2.460
10*      7.9885      0.5091   1.54470   56.2    2.518
11*    -13.4031      0.2004                     2.612
12*      3.3797      0.2540   1.63469   23.9    2.613
13*      2.7268      0.4126                     2.864
14*     10.0527      0.8628   1.54470   56.2    3.163
15*     -1.6159      0.3772                     3.650
16*     -4.3338      0.3342   1.54470   56.2    3.962
17*      1.6544      0.4000                     4.953
18     INFINITY      0.1100   1.51633   64.1    5.518
19     INFINITY      0.3010
【００７６】
実施例１のレンズ面の非球面係数を以下の表２に示す。
〔表２〕
第2面
K=0.00000e+000, A4=7.07114e-002, A6=1.31231e-002, 
A8=-4.25510e-003, A10=-2.19075e-003, A12=1.31911e-003, 
A14=-2.12951e-004
第3面
K=0.00000e+000, A4=1.04175e-001, A6=-8.52777e-004, 
A8=9.18825e-003, A10=-9.13708e-003, A12=3.58838e-003, 
A14=-6.07385e-004
第5面
K=1.07752e+000, A4=-8.28714e-003, A6=3.04911e-004, 
A8=-3.60665e-003, A10=3.63931e-003, A12=-2.13827e-003, 
A14=5.33539e-004
第6面
K=-7.99941e+001, A4=-2.69973e-002, A6=2.63195e-002, 
A8=-6.06492e-003, A10=-3.27356e-003, A12=3.47617e-003, 
A14=-5.09076e-004
第7面
K=-1.91711e-001, A4=-1.24089e-001, A6=5.47217e-002, 
A8=-1.42825e-003, A10=-2.97191e-002, A12=1.99625e-002, 
A14=-4.71198e-003
第8面
K=-4.61741e+000, A3=-2.88686e-003, A4=5.71344e-003, 
A5=-5.94700e-002, A6=5.96670e-002, A8=-1.91266e-002, 
A10=3.82352e-003, A12=-3.18290e-003, A14=1.95147e-003
第10面
K=1.60823e+001, A3=-1.55773e-002, A4=4.90878e-002, 
A5=-1.58573e-001, A6=1.49912e-001, A8=-1.02069e-001, 
A10=7.08672e-002, A12=-3.39219e-002, A14=7.40780e-003
第11面
K=4.41840e+001, A3=-2.33523e-002, A4=-1.01875e-001, 
A5=1.54510e-002, A6=4.48125e-002, A8=-5.28597e-002, 
A10=2.43052e-002, A12=-4.87509e-003
第12面
K=-2.18670e+001, A3=-1.85972e-002, A4=-2.61976e-001, 
A5=1.20517e-001, A6=-1.96207e-002, A8=5.30252e-003, 
A10=-2.15044e-002, A12=9.46921e-003
第13面
K=2.28592e+000, A3=-8.80913e-003, A4=-3.02971e-001, 
A5=1.09256e-001, A6=3.28836e-002, A8=-3.72725e-002, 
A10=9.45448e-003, A12=-2.26980e-003, A14=6.37551e-004
第14面
K=-8.00000e+001, A3=-2.46318e-003, A4=-3.98287e-002, 
A5=2.37044e-002, A6=-2.05296e-002, A8=-2.89572e-004, 
A10=5.04855e-003, A12=-3.69924e-003, A14=7.24890e-004
第15面
K=-3.95242e+000, A3=-1.88578e-002, A4=1.72465e-002, 
A5=-2.82597e-002, A6=1.64124e-003, A8=3.46377e-003, 
A10=6.59171e-004, A12=-1.22160e-004, A14=-2.67831e-005
第16面
K=-2.38662e+001, A3=-1.35913e-001, A4=-4.54642e-002, 
A5=2.49055e-002, A6=9.91679e-003, A8=-1.19230e-003, 
A10=2.12927e-004, A12=1.68153e-005, A14=-1.06781e-005
第17面
K=-1.62839e+001, A3=3.02758e-002, A4=-1.31032e-001, 
A5=8.49308e-002, A6=-2.18783e-002, A8=7.20303e-004, 
A10=-5.72938e-005, A12=4.58122e-006, A14=-9.62112e-009
なお、これ以降（表のレンズデータを含む）において、１０のべき乗数（たとえば２．５×１０−００２）を、ｅ（たとえば２．５ｅ−００２）を用いて表すものとする。
【００７７】
実施例１の撮像レンズの特性を以下に列挙する。
FL        3.709
Fno       1.45
w        75.41
Ymax      2.921
BF        0.811
TL        5.465
BFa       0.774
TLa       5.428
ここで、ＦＬは撮像レンズ全系の焦点距離を意味し、ＦｎｏはＦナンバーを意味し、ｗは対角線画角を意味し、Ｙｍａｘは最大像高、すなわち撮像素子の撮像面対角線長の半値を意味し、ＢＦはバックフォーカス（最終レンズ〜像面）を意味し、ＴＬは系全長を意味する。また、ＢＦａは、バックフォーカス（最終レンズ〜像面Ｉ  ※平行平板は空気換算長としたとき）、ＴＬａは、光学全長（最終レンズ〜像面Ｉ  ※平行平板は空気換算長としたとき）を意味する。なお、以上の符号は、これ以降の実施例でも同様の意味を有するものとする。
【００７８】
実施例１の単レンズデータを以下の表３に示す。
〔表３〕
レンズ番号  面番号  焦点距離       有効径
Elem   Surfs   Focal Length    Diameter
1     2- 3     39.8833        2.558
2     5- 6      4.2436        2.656
3     7- 8     -6.2911        2.453
4    10-11      9.2668        2.612
5    12-13    -26.1947        2.864
6    14-15      2.6241        3.650
7    16-17     -2.1557        4.953
【００７９】
図５は、実施例１の撮像レンズ１１等の断面図である。撮像レンズ１１は、物体側より順に、光軸ＡＸ周辺で弱い正の屈折力を有し像側に凸面を向けたメニスカスの第１レンズＬ１と、光軸ＡＸ周辺で正の屈折力を有し物体側に凸面を向けた略凸平の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第１レンズＬ１の外縁の物体側には、開口絞り（ＳＴＯ）ＡＳが配置され、第１及び第２レンズＬ１，Ｌ２の間と、第３及び第４レンズＬ３，Ｌ４の間とには、遮光絞りＦＳが配置されている。
【００８０】
図６（Ａ）〜６（Ｃ）は、実施例１の撮像レンズ１１の諸収差図（球面収差、非点収差、歪曲収差）を示し、図６（Ｄ）及び６（Ｅ）は、実施例１の撮像レンズ１１の横収差を示している。
【００８１】
〔実施例２〕
実施例２のレンズ面のデータを以下の表４に示す。
〔表４〕
面データ
面番号    r           d        nd       vd     eff. dia.
1 FS  INFINITY      0.2000                     2.700
2*     -2.0889      0.2000   1.54000   45      2.687
3*     -2.3705      0.0500                     2.559
4*      2.1019      0.8219   1.54470   56      2.738
5*     -9.8545      0.1135                     2.620
STO    INFINITY      0.0000                     2.451
7*      3.4446      0.1500   1.63469   23.9    2.414
8*      1.7619      0.3002                     2.366
9 FS  INFINITY      0.0600                     2.400
10*      8.1526      0.5602   1.54470   56      2.504
11*     -8.1776      0.2165                     2.608
12*      4.5185      0.2227   1.63469   23.9    2.613
13*      2.9326      0.3031                     2.811
14*      6.6293      0.5568   1.54000   45      2.963
15*     -2.1898      0.4995                     3.416
16*     -2.1967      0.3375   1.54470   56      3.634
17*      2.9968      0.4000                     4.749
18     INFINITY      0.1100   1.51633   64.1    5.549
19     INFINITY      0.2190
【００８２】
実施例２のレンズ面の非球面係数を以下の表５に示す。
〔表５〕
第2面
K=0.00000e+000, A4=1.08204e-001, A6=1.53978e-003, 
A8=-5.54747e-003, A10=-1.38032e-003, A12=1.40192e-003, 
A14=-2.58567e-004
第3面
K=0.00000e+000, A4=1.19656e-001, A6=-1.43168e-003, 
A8=5.27745e-003, A10=-1.04529e-002, A12=4.89255e-003, 
A14=-8.88685e-004
第4面
K=5.20441e-001, A4=-5.21736e-003, A6=3.15703e-003, 
A8=-3.87144e-003, A10=3.81777e-003, A12=-2.00081e-003, 
A14=5.29976e-004
第5面
K=-5.23209e+001, A4=-2.53845e-002, A6=2.18393e-002, 
A8=-5.82485e-003, A10=-1.05535e-003, A12=2.37441e-003, 
A14=-5.73082e-004
第7面
K=-2.43451e+000, A4=-1.29226e-001, A6=6.22107e-002, 
A8=-3.85874e-003, A10=-2.94839e-002, A12=2.09031e-002, 
A14=-5.06646e-003
第8面
K=-5.78973e+000, A3=-2.43400e-003, A4=-6.17923e-003, 
A5=-6.35972e-002, A6=7.12797e-002, A8=-1.94436e-002, 
A10=1.56763e-003, A12=-9.26132e-004, A14=1.87076e-003
第10面
K=1.81668e+001, A3=-1.54944e-002, A4=6.26988e-002, 
A5=-1.67542e-001, A6=1.48364e-001, A8=-9.76793e-002, 
A10=6.94077e-002, A12=-3.56959e-002, A14=8.56531e-003
第11面
K=-8.00000e+001, A3=-7.37532e-003, A4=-1.20632e-001, 
A5=5.69881e-003, A6=4.55614e-002, A8=-4.80622e-002, 
A10=2.35559e-002, A12=-5.20555e-003
第12面
K=-4.93030e+001, A3=-8.92831e-003, A4=-2.90242e-001, 
A5=1.18840e-001, A6=-2.03222e-003, A8=-5.37660e-003, 
A10=-1.39227e-002, A12=7.82024e-003
第13面
K=2.95534e+000, A3=-1.83957e-002, A4=-3.44415e-001, 
A5=1.29030e-001, A6=3.67448e-002, A8=-4.05159e-002, 
A10=8.23677e-003, A12=-1.40783e-003, A14=5.95958e-004
第14面
K=-7.16002e+001, A3=-1.42797e-002, A4=-2.87050e-002, 
A5=1.64613e-002, A6=-3.37146e-002, A8=-2.75401e-003, 
A10=1.40095e-002, A12=-1.03709e-002, A14=2.16802e-003
第15面
K=-3.34228e+000, A3=-1.76392e-002, A4=2.81902e-002, 
A5=-2.74159e-003, A6=-2.48857e-002, A8=5.64171e-003, 
A10=2.35754e-003, A12=-3.21260e-004, A14=-7.28734e-005
第16面
K=-3.26893e+000, A3=-8.10578e-002, A4=-4.84912e-002, 
A5=1.35498e-002, A6=5.30193e-003, A8=9.34881e-004, 
A10=1.14921e-003, A12=-7.90249e-005, A14=-4.11113e-005
第17面
K=-7.81757e+001, A3=9.67677e-002, A4=-1.95207e-001, 
A5=1.10902e-001, A6=-2.49769e-002, A8=4.84382e-004, 
A10=-6.04934e-007, A12=-3.33133e-006, A14=3.09410e-007
【００８３】
実施例２の撮像レンズの特性を以下に列挙する。
FL        3.696
Fno       1.45
w        75.43
Ymax      2.921
BF        0.729
TL        5.321
BFa       0.692
TLa       5.283
【００８４】
実施例２の単レンズデータを以下の表６に示す。
〔表６〕
Elem   Surfs   Focal Length    Diameter
1     2- 3    -43.3748        2.687
2     4- 5      3.2594        2.738
3     7- 8     -5.8866        2.414
4    10-11      7.5868        2.608
5    12-13    -13.9241        2.811
6    14-15      3.1173        3.416
7    16-17     -2.2749        4.749
【００８５】
図７は、実施例２の撮像レンズ１２等の断面図である。撮像レンズ１２は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【００８６】
図８（Ａ）〜８（Ｃ）は、実施例２の撮像レンズ１２の諸収差図（球面収差、非点収差、歪曲収差）を示し、図８（Ｄ）及び８（Ｅ）は、実施例２の撮像レンズ１２の横収差を示している。
【００８７】
〔実施例３〕
実施例３のレンズ面のデータを以下の表７に示す。
〔表７〕
面番号    r           d        nd       vd     eff. dia.
1 FS  INFINITY      0.1300                     2.715
2*     -2.4349      0.2203   1.54470   56      2.700
3*     -2.2212      0.0500                     2.536
4*      2.2866      0.5559   1.54470   56      2.638
5*      7.8820      0.1159                     2.519
6*      2.3616      0.1500   1.63469  23.9     2.448
7*      1.5018      0.3708                     2.368
STO    INFINITY      0.0000                     2.370
9*      4.8153      0.6632   1.54470   56      2.484
10*     -8.1003      0.1984                     2.641
11*      3.9753      0.2863   1.63469  23.9     2.727
12*      3.1107      0.5319                     2.945
13*      9.6807      0.5948   1.54470   56      3.167
14*     -1.9136      0.4451                     3.458
15*     -3.3624      0.3427   1.54470   56      3.674
16*      2.0250      0.4000                     4.870
17     INFINITY      0.1100   1.51633   64.1    5.505
18     INFINITY      0.2872
【００８８】
実施例３のレンズ面の非球面係数を以下の表８に示す。
〔表８〕
第2面
K=0.00000e+000, A4=8.84451e-002, A6=2.95727e-003, 
A8=-5.72419e-004, A10=-1.95404e-003, A12=8.52222e-004, 
A14=-1.37018e-004
第3面
K=0.00000e+000, A4=1.23262e-001, A6=-1.23168e-002, 
A8=1.37087e-002, A10=-8.65602e-003, A12=2.97155e-003, 
A14=-5.38316e-004
第4面
K=1.26537e+000, A4=-1.64577e-002, A6=1.50602e-003, 
A8=-2.87637e-003, A10=3.47653e-003, A12=-2.27129e-003, 
A14=7.78201e-004
第5面
K=3.02209e+001, A4=-4.82283e-002, A6=2.70640e-002, 
A8=-5.53284e-003, A10=-2.64052e-003, A12=2.28737e-003, 
A14=2.53236e-004
第6面
K=-4.96016e-001, A4=-1.29667e-001, A6=5.47890e-002, 
A8=8.98655e-005, A10=-2.95027e-002, A12=1.92387e-002, 
A14=-4.39134e-003
第7面
K=-4.97343e+000, A3=1.15845e-003, A4=-8.13230e-005, 
A5=-5.46532e-002, A6=5.89218e-002, A8=-1.98925e-002, 
A10=4.60948e-003, A12=-1.75613e-003, A14=7.65322e-004
第9面
K=7.91456e+000, A3=-1.25687e-002, A4=3.41420e-002, 
A5=-1.54718e-001, A6=1.55154e-001, A8=-1.08553e-001, 
A10=7.33305e-002, A12=-3.15441e-002, A14=5.74023e-003
第10面
K=1.29130e+001, A3=-2.48744e-002, A4=-1.07692e-001, 
A5=1.55047e-002, A6=5.33261e-002, A8=-4.58463e-002, 
A10=1.92479e-002, A12=-3.99468e-003
第11面
K=-3.87234e+001, A3=-5.11261e-003, A4=-2.67667e-001, 
A5=1.25283e-001, A6=-6.39194e-003, A8=1.01574e-002, 
A10=-1.16100e-002, A12=3.49056e-003
第12面
K=2.85425e+000, A3=4.75549e-003, A4=-2.92393e-001, 
A5=1.08503e-001, A6=3.50565e-002, A8=-2.92994e-002, 
A10=8.77838e-003, A12=-2.13609e-003, A14=2.89451e-004
第13面
K=3.18559e+001, A3=-4.40889e-003, A4=-2.08563e-002, 
A5=-7.89804e-003, A6=2.87983e-003, A8=-8.98647e-003, 
A10=2.72075e-003, A12=-3.64518e-004, A14=-1.46345e-004
第14面
K=-4.64894e+000, A3=-7.69243e-003, A4=1.65555e-002, 
A5=-1.06547e-002, A6=-2.61912e-003, A8=-1.63000e-003, 
A10=4.95583e-004, A12=1.40486e-004, A14=-2.67668e-005
第15面
K=-6.00010e+000, A3=-7.48570e-002, A4=-5.80109e-002, 
A5=1.74786e-002, A6=6.83640e-003, A8=-1.99745e-003, 
A10=4.97304e-004, A12=1.23715e-004, A14=-2.97540e-005
第16面
K=-2.23016e+001, A3=6.22312e-002, A4=-1.53281e-001, 
A5=8.91907e-002, A6=-2.15018e-002, A8=7.17837e-004, 
A10=-4.02533e-005, A12=-1.34598e-006, A14=3.94287e-007
【００８９】
実施例３の撮像レンズの特性を以下に列挙する。
FL        3.699
Fno       1.45
w        75.37
Ymax      2.921
BF        0.797
TL        5.452
BFa       0.760
TLa       5.415
【００９０】
実施例３の単レンズデータを以下の表９に示す。
〔表９〕
Elem   Surfs   Focal Length    Diameter
1     2- 3     34.0783        2.700
2     4- 5      5.7133        2.638
3     6- 7     -6.9719        2.448
4     9-10      5.6466        2.641
5    11-12    -25.8603        2.945
6    13-14      2.9873        3.458
7    15-16     -2.2693        4.870
【００９１】
図９は、実施例３の撮像レンズ１３等の断面図である。撮像レンズ１３は、物体側より順に、光軸ＡＸ周辺で弱い正の屈折力を有し像側に凸面を向けたメニスカスの第１レンズＬ１と、光軸ＡＸ周辺で正の屈折力を有し物体側に凸面を向けたメニスカスの第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第３及び第４レンズＬ３，Ｌ４の間には、開口絞り（ＳＴＯ）ＡＳが配置され、第１レンズＬ１の外縁の物体側には、遮光絞りＦＳが配置されている。
【００９２】
図１０（Ａ）〜１０（Ｃ）は、実施例３の撮像レンズ１３の諸収差図（球面収差、非点収差、歪曲収差）を示し、図１０（Ｄ）及び１０（Ｅ）は、実施例３の撮像レンズ１３の横収差を示している。
【００９３】
〔実施例４〕
実施例４のレンズ面のデータを以下の表１０に示す。
〔表１０〕
面番号    r           d        nd       vd     eff. dia.
1 FS  INFINITY      0.0000                     2.700
2*      6.3046      0.2500   1.54470   56.2    2.625
3*     -9.4866      0.2399                     2.605
STO    INFINITY     -0.1899                     2.618
5*      6.1552      0.8055   1.54470   56.2    2.628
6*    -42.4798      0.0500                     2.367
7*      1.5502      0.1500   1.63469   23.9    2.231
8*      1.0815      0.4141                     2.183
9 FS  INFINITY      0.0000                     2.300
10*      6.7291      0.4966   1.54470   56.2    2.292
11*     -8.4855      0.2285                     2.502
12*    -12.5714      0.2841   1.63469   23.9    2.744
13*     19.5086      0.4216                     3.049
14*      4.1124      0.5854   1.54470   56.2    3.466
15*     -2.2595      0.3348                     3.777
16*      3.1012      0.3196   1.54470   56.2    4.581
17*      0.9193      0.7000                     5.238
18     INFINITY      0.1100   1.51633   64.1    5.732
19     INFINITY      0.1036
【００９４】
実施例４のレンズ面の非球面係数を以下の表１１に示す。
〔表１１〕
第2面
K=-3.18132e+000, A4=-8.42749e-002, A6=2.98151e-002, 
A8=1.20225e-002, A10=-9.90738e-003, A12=3.15687e-003, 
A14=-4.83089e-004
第3面
K=0.00000e+000, A4=8.18853e-003, A6=-7.39367e-003, 
A8=1.71372e-002, A10=-4.04286e-003
第5面
K=0.00000e+000, A4=1.22121e-001, A6=-5.88922e-002, 
A8=2.16243e-002, A10=1.88365e-003, A12=-4.10725e-003, 
A14=1.23043e-003
第6面
K=-8.00000e+001, A4=8.97433e-002, A6=-1.43315e-001, 
A8=1.22827e-001, A10=-6.63551e-002, A12=2.48543e-002, 
A14=-4.86280e-003
第7面
K=-9.98047e+000, A4=-3.05894e-002, A6=-8.63774e-002, 
A8=6.45443e-002, A10=-2.29745e-002, A12=7.02732e-003, 
A14=-3.54185e-003
第8面
K=-5.00816e+000, A3=6.20312e-005, A4=-3.57506e-002, 
A5=-8.86682e-003, A6=5.27635e-002, A8=-1.28898e-001, 
A10=1.69685e-001, A12=-1.10465e-001, A14=2.74896e-002
第10面
K=2.92067e+001, A3=-2.25310e-002, A4=7.14700e-002, 
A5=-2.64148e-001, A6=2.63231e-001, A8=-1.82365e-001, 
A10=1.22328e-001, A12=-6.69479e-002, A14=1.37178e-002
第11面
K=-7.41328e+000, A3=2.78211e-002, A4=-1.76722e-001, 
A5=1.10775e-001, A6=-6.83699e-002, A8=2.50527e-002, 
A10=-1.16384e-002, A12=6.71983e-004
第12面
K=8.00000e+001, A3=7.44190e-002, A4=-4.75423e-001, 
A5=4.00836e-001, A6=-2.07634e-001, A8=1.07831e-001, 
A10=-2.43620e-002, A12=-6.00379e-004
第13面
K=-8.00000e+001, A3=3.49696e-002, A4=-3.40559e-001, 
A5=1.72525e-001, A6=-1.46331e-002, A8=1.31068e-002, 
A10=2.27015e-003, A12=-3.11352e-003, A14=2.70093e-004
第14面
K=9.68760e-002, A3=-1.09570e-002, A4=3.61112e-002, 
A5=-1.33785e-001, A6=8.78463e-002, A8=-3.80285e-002, 
A10=1.52616e-002, A12=-3.49773e-003, A14=3.26590e-004
第15面
K=-1.85389e+001, A3=-8.90869e-002, A4=5.49142e-002, 
A5=1.93718e-002, A6=-3.00384e-002, A8=-1.02180e-002, 
A10=7.54221e-003, A12=-1.23949e-003, A14=4.71979e-005
第16面
K=-4.32755e+001, A3=-1.87586e-001, A4=-1.21890e-001, 
A5=6.61914e-002, A6=2.75434e-002, A8=-4.72995e-003, 
A10=-4.37315e-004, A12=1.32823e-004, A14=-7.74779e-006
第17面
K=-3.90456e+000, A3=-1.42503e-001, A4=-7.46234e-002, 
A5=1.17662e-001, A6=-3.72449e-002, A8=1.21959e-003, 
A10=-1.07047e-004, A12=1.44805e-005, A14=-5.73559e-007
【００９５】
実施例４の撮像レンズの特性を以下に列挙する。
FL        3.756
Fno       1.43
w        75.39
Ymax      2.921
BF        0.914
TL        5.304
BFa       0.876
TLa       5.266
【００９６】
実施例４の単レンズデータを以下の表１２に示す。
〔表１２〕
Elem   Surfs   Focal Length    Diameter
1     2- 3      6.9924        2.625
2     5- 6      9.9281        2.628
3     7- 8     -6.4349        2.231
4    10-11      6.9702        2.502
5    12-13    -12.0039        3.049
6    14-15      2.7668        3.777
7    16-17     -2.5293        5.238
【００９７】
図１１は、実施例４の撮像レンズ１４等の断面図である。撮像レンズ１４は、物体側より順に、光軸ＡＸ周辺で正の屈折力を有する両凸の第１レンズＬ１と、光軸ＡＸ周辺で正の屈折力を有し物体側に凸面を向けた略凸平の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で負の屈折力を有する両凹の第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【００９８】
図１２（Ａ）〜１２（Ｃ）は、実施例４の撮像レンズ１４の諸収差図（球面収差、非点収差、歪曲収差）を示し、図１２（Ｄ）及び１２（Ｅ）は、実施例４の撮像レンズ１４の横収差を示している。
【００９９】
〔実施例５〕
実施例５のレンズ面のデータを以下の表１３に示す。
〔表１３〕
面番号    r           d        nd       vd     eff. dia.
1 FS  INFINITY      0.1200                     2.719
2*     -2.6118      0.2000   1.54000   45      2.710
3*     -2.9734      0.3803                     2.571
4 FS  INFINITY     -0.3303                     2.658
5*      1.9042      0.8622   1.54470   56      2.735
6*    -14.3008      0.0000                     2.634
STO    INFINITY      0.1286                     2.548
8*      7.0726      0.1500   1.63469   23.9    2.410
9*      2.2078      0.3030                     2.214
10 FS  INFINITY      0.0000                     2.240
11*      5.5742      0.4916   1.54470   56      2.364
12*    -32.1022      0.2345                     2.458
13*      3.0804      0.2000   1.63469   23.9    2.478
14*      2.6279      0.2870                     2.674
15*      6.6362      0.3426   1.54000   45      2.800
16*     -2.9087      0.6350                     3.211
17*     -2.3861      0.3227   1.54470   56      3.671
18*      3.2217      0.4000                     4.617
19     INFINITY      0.1100   1.51633   64.1    5.600
20     INFINITY      0.1648
【０１００】
実施例５のレンズ面の非球面係数を以下の表１４に示す。
〔表１４〕
第2面
K=0.00000e+000, A4=8.66377e-002, A6=3.41365e-003, 
A8=-3.10253e-003, A10=-1.32314e-003, A12=8.49806e-004, 
A14=-1.57371e-004
第3面
K=0.00000e+000, A4=9.89752e-002, A6=1.97075e-003, 
A8=7.77106e-003, A10=-1.02422e-002, A12=5.24427e-003, 
A14=-1.11775e-003
第5面
K=2.05205e-001, A4=-6.38897e-003, A6=9.70827e-004, 
A8=-4.41012e-003, A10=3.72338e-003, A12=-1.82964e-003, 
A14=3.80674e-004
第6面
K=4.04715e+001, A4=-3.44214e-002, A6=1.97723e-002, 
A8=-2.55265e-003, A10=-1.51412e-003, A12=1.02973e-003, 
A14=-9.06250e-005
第8面
K=1.13228e+001, A4=-1.13344e-001, A6=7.67389e-002, 
A8=-4.98718e-003, A10=-3.10363e-002, A12=2.01553e-002, 
A14=-4.28410e-003
第9面
K=-7.55781e+000, A3=-3.06228e-003, A4=1.07611e-003, 
A5=-5.09050e-002, A6=8.60696e-002, A8=-1.79738e-002, 
A10=-1.85391e-003, A12=-2.35451e-004, A14=2.87368e-003
第11面
K=1.21089e+001, A3=-1.78166e-002, A4=5.60649e-002, 
A5=-1.74922e-001, A6=1.51516e-001, A8=-9.35294e-002, 
A10=6.96969e-002, A12=-3.57119e-002, A14=9.35937e-003
第12面
K=-7.67350e+001, A3=-1.16000e-002, A4=-9.65332e-002, 
A5=1.16432e-002, A6=3.14841e-002, A8=-5.38177e-002, 
A10=2.92519e-002, A12=-5.95350e-003
第13面
K=-1.76118e+001, A3=-1.66768e-002, A4=-2.82736e-001, 
A5=1.18434e-001, A6=-5.69067e-003, A8=-2.08740e-002, 
A10=-1.56115e-002, A12=9.87586e-003
第14面
K=2.57198e+000, A3=-2.17822e-002, A4=-3.71147e-001, 
A5=1.25519e-001, A6=3.41324e-002, A8=-4.20787e-002, 
A10=5.95502e-003, A12=-2.53658e-003, A14=1.14333e-003
第15面
K=-6.89757e+001, A3=-3.37431e-002, A4=-1.10107e-002, 
A5=-1.37735e-002, A6=-5.65327e-002, A8=1.22081e-002, 
A10=2.08289e-002, A12=-2.00191e-002, A14=4.40044e-003
第16面
K=-1.38743e+001, A3=-3.96781e-002, A4=-2.34418e-003, 
A5=-7.77839e-003, A6=-2.94887e-002, A8=1.16843e-002, 
A10=3.62369e-003, A12=-6.35622e-004, A14=-1.86518e-004
第17面
K=-3.13432e-001, A3=-1.10807e-001, A4=-6.36104e-002, 
A5=4.02999e-002, A6=1.64647e-002, A8=-8.18427e-004, 
A10=5.80182e-004, A12=-2.17031e-004, A14=7.91834e-006
第18面
K=-8.00000e+001, A3=2.20638e-002, A4=-1.44001e-001, 
A5=1.00504e-001, A6=-2.62785e-002, A8=8.72918e-004, 
A10=-4.66588e-005, A12=-1.10324e-005, A14=1.98010e-006
【０１０１】
実施例５撮像レンズの特性を以下に列挙する。
FL        3.695
Fno       1.45
w        75.43
Ymax      2.921
BF        0.675
TL        5.002
BFa       0.637
TLa       4.964
【０１０２】
実施例５の単レンズデータを以下の表１５に示す。
〔表１５〕
Elem   Surfs   Focal Length    Diameter
1     2- 3    -49.3261        2.710
2     5- 6      3.1440        2.735
3     8- 9     -5.1185        2.410
4    11-12      8.7598        2.458
5    13-14    -34.0261        2.674
6    15-16      3.7927        3.211
7    17-18     -2.4666        4.617
【０１０３】
図１３は、実施例５の撮像レンズ１５等の断面図である。撮像レンズ１５は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有し物体側に凸面を向けた略凸平の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第１及び第２レンズＬ１，Ｌ２の間と、第３及び第４レンズＬ３，Ｌ４の間とには、遮光絞りＦＳが配置されている。
【０１０４】
図１４（Ａ）〜１４（Ｃ）は、実施例５の撮像レンズ１５の諸収差図（球面収差、非点収差、歪曲収差）を示し、図１４（Ｄ）及び１４（Ｅ）は、実施例５の撮像レンズ１５の横収差を示している。
【０１０５】
〔実施例６〕
実施例６のレンズ面のデータを以下の表１６に示す。
〔表１６〕
面番号    r           d        nd       vd     eff. dia.
1 FS  INFINITY      0.0500                     2.753
2*     -3.9482      0.2000   1.54000   45      2.724
3*     -4.6862      0.0500                     2.544
4*      1.9256      0.9475   1.54470   56      2.688
5*    -11.1749      0.0500                     2.574
STO    INFINITY      0.0000                     2.402
7*      4.5491      0.1500   1.63469   23.9    2.399
8*      1.9535      0.3530                     2.379
9*      9.5514      0.4601   1.54470   56      2.502
10*    -22.4376      0.2526                     2.570
11*      2.4552      0.2000   1.63469   23.9    2.544
12*      2.0076      0.2555                     2.788
13*      4.4599      0.4140   1.54000   45      2.930
14*     -2.8721      0.5910                     3.355
15*     -2.8064      0.3262   1.54470   56      3.920
16*      2.6784      0.4000                     4.789
17     INFINITY      0.1100   1.51633   64.1    5.666
18     INFINITY      0.1849
【０１０６】
実施例６のレンズ面の非球面係数を以下の表１７に示す。
〔表１７〕
第2面
K=0.00000e+000, A4=6.60940e-002, A6=2.34556e-003, 
A8=1.72006e-003, A10=-1.86009e-003, A12=1.42231e-004, 
A14=9.51271e-006
第3面
K=0.00000e+000, A4=7.67677e-002, A6=6.15227e-003, 
A8=8.76821e-003, A10=-7.49515e-003, A12=3.38566e-003, 
A14=-7.82908e-004
第4面
K=8.57576e-002, A4=-5.69281e-003, A6=1.36480e-003, 
A8=-2.71124e-003, A10=2.51598e-003, A12=-1.76101e-003, 
A14=3.67584e-004
第5面
K=3.61335e+001, A4=-4.07402e-002, A6=2.14631e-002, 
A8=-5.05335e-003, A10=-4.01614e-004, A12=5.69402e-004, 
A14=1.48069e-005
第7面
K=-1.38888e+001, A4=-1.26316e-001, A6=7.84482e-002, 
A8=-3.04202e-003, A10=-3.05723e-002, A12=2.03388e-002, 
A14=-4.32195e-003
第8面
K=-6.24072e+000, A3=-6.63719e-003, A4=-1.01195e-003, 
A5=-5.75352e-002, A6=8.50586e-002, A8=-2.12801e-002, 
A10=8.35905e-004, A12=1.68962e-003, A14=1.29183e-003
第9面
K=3.40000e+001, A3=-2.09095e-002, A4=7.12686e-002, 
A5=-1.68433e-001, A6=1.42226e-001, A8=-9.47376e-002, 
A10=7.04853e-002, A12=-3.42479e-002, A14=8.41232e-003
第10面
K=-1.15866e-001, A3=-8.45181e-003, A4=-8.63135e-002, 
A5=1.61035e-002, A6=2.57261e-002, A8=-5.79964e-002, 
A10=3.28412e-002, A12=-7.03278e-003
第11面
K=-9.58842e+000, A3=-7.95928e-003, A4=-2.74729e-001, 
A5=1.21335e-001, A6=1.45770e-002, A8=-3.57904e-002, 
A10=-2.29138e-002, A12=1.19880e-002
第12面
K=9.45374e-001, A3=-5.47024e-003, A4=-4.09555e-001, 
A5=1.60089e-001, A6=3.15095e-002, A8=-5.20951e-002, 
A10=8.11498e-003, A12=-3.61401e-003, A14=1.49097e-003
第13面
K=-4.77026e+000, A3=-2.05532e-002, A4=-2.75418e-002, 
A5=-2.18779e-002, A6=-4.24057e-002, A8=1.96996e-003, 
A10=2.47039e-002, A12=-1.85002e-002, A14=3.76278e-003
第14面
K=-8.69614e+000, A3=-2.57276e-002, A4=1.25995e-002, 
A5=1.34003e-003, A6=-5.87004e-002, A8=1.10495e-002, 
A10=6.32408e-003, A12=-6.69096e-004, A14=-2.71292e-004
第15面
K=-1.76510e-001, A3=-1.36320e-001, A4=-5.71684e-002, 
A5=3.03369e-002, A6=1.93890e-002, A8=1.42053e-003, 
A10=6.28457e-005, A12=-3.36458e-004, A14=4.03316e-005
第16面
K=-5.15746e+001, A3=2.07397e-002, A4=-1.66939e-001, 
A5=1.25638e-001, A6=-3.31993e-002, A8=5.61442e-004, 
A10=1.04328e-004, A12=-2.96535e-005, A14=2.76353e-006
【０１０７】
実施例６の撮像レンズの特性を以下に列挙する。
FL        3.695
Fno       1.45
w        75.34
Ymax      2.921
BF        0.695
TL        4.995
BFa       0.657
TLa       4.957
【０１０８】
実施例６の単レンズデータを以下の表１８に示す。
〔表１８〕
Elem   Surfs   Focal Length    Diameter
1     2- 3    -51.2959        2.724
2     4- 5      3.0944        2.688
3     7- 8     -5.5184        2.399
4     9-10     12.3621        2.570
5    11-12    -20.9893        2.788
6    13-14      3.3006        3.355
7    15-16     -2.4643        4.789
【０１０９】
図１５は、実施例６の撮像レンズ１６等の断面図である。撮像レンズ１６は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有し物体側に凸面を向けた略凸平の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側には、遮光絞りＦＳが配置されている。
【０１１０】
図１６（Ａ）〜１６（Ｃ）は、実施例６の撮像レンズ１６の諸収差図（球面収差、非点収差、歪曲収差）を示し、図１６（Ｄ）及び１６（Ｅ）は、実施例６の撮像レンズ１６の横収差を示している。
【０１１１】
〔実施例７〕
実施例７のレンズ面のデータを以下の表１９に示す。
〔表１９〕
面番号    r           d        nd       vd     eff. dia.
1 FS  INFINITY      0.1800                     2.717
2*     -2.0268      0.2430   1.54000   45      2.707
3*     -2.3807      0.0720                     2.521
4*      2.1789      0.8937   1.54470   56      2.590
5*     -4.6036      0.0500                     2.510
STO    INFINITY      0.0000                     2.334
7*      2.8002      0.1500   1.63469   23.9    2.293
8*      1.4895      0.3804                     2.389
9 FS  INFINITY      0.0000                     2.460
10*     40.0659      0.5161   1.54470   56      2.504
11*     -5.6313      0.1985                     2.575
12*      2.9575      0.2000   1.63469   23.9    2.551
13*      2.0452      0.2865                     2.777
14*      5.9382      0.4461   1.54000   45      2.896
15*     -2.2081      0.5235                     3.258
16*     -4.0678      0.3232   1.54470   56      3.845
17*      2.0652      0.4000                     4.900
18     INFINITY      0.1100   1.51633   64.1    5.600
19     INFINITY      0.2407
【０１１２】
実施例７のレンズ面の非球面係数を以下の表２０に示す。
〔表２０〕
第2面
K=0.00000e+000, A4=1.26850e-001, A6=-9.43517e-003, 
A8=-1.29035e-003, A10=-1.92495e-003, A12=1.43750e-003, 
A14=-2.85508e-004
第3面
K=0.00000e+000, A4=1.36879e-001, A6=-3.91416e-003, 
A8=7.50924e-004, A10=-2.57169e-003, A12=1.21042e-003, 
A14=-2.85081e-004
第4面
K=-3.47847e-002, A4=-5.34814e-003, A6=3.92094e-003, 
A8=-3.23237e-003, A10=2.19789e-003, A12=-9.74314e-004, 
A14=1.04661e-004
第5面
K=3.97820e+000, A4=3.14487e-003, A6=6.78877e-003, 
A8=-5.09900e-003, A10=2.31222e-003, A12=-6.15709e-004, 
A14=9.30610e-005
第7面
K=-1.60036e+000, A4=-1.29070e-001, A6=5.99680e-002, 
A8=-4.30173e-003, A10=-3.04624e-002, A12=1.90753e-002, 
A14=-3.87706e-003
第8面
K=-3.69028e+000, A3=-7.02013e-003, A4=-1.82810e-002, 
A5=-6.72533e-002, A6=8.91852e-002, A8=-2.61718e-002, 
A10=-3.80622e-003, A12=3.24985e-003, A14=-1.10275e-004
第10面
K=-6.91943e+001, A3=-8.73220e-003, A4=9.09517e-002, 
A5=-1.60498e-001, A6=1.42487e-001, A8=-9.56521e-002, 
A10=7.18280e-002, A12=-3.14114e-002, A14=5.62188e-003
第11面
K=-4.78161e+001, A3=-1.93791e-003, A4=-8.75732e-002, 
A5=1.20899e-002, A6=2.91611e-002, A8=-5.39583e-002, 
A10=3.16662e-002, A12=-6.59907e-003
第12面
K=-1.64024e+001, A3=-1.57960e-002, A4=-2.66456e-001, 
A5=1.20448e-001, A6=1.55635e-002, A8=-3.34658e-002, 
A10=-2.07473e-002, A12=1.33908e-002
第13面
K=9.80921e-001, A3=-1.31180e-002, A4=-4.06020e-001, 
A5=1.73164e-001, A6=3.51872e-002, A8=-5.50507e-002, 
A10=8.65942e-003, A12=-1.89224e-003, A14=1.07455e-003
第14面
K=-3.21448e+001, A3=-1.47495e-002, A4=-6.63584e-003, 
A5=-1.71697e-002, A6=-4.20541e-002, A8=2.52481e-004, 
A10=2.50276e-002, A12=-1.85822e-002, A14=3.74123e-003
第15面
K=-4.75365e+000, A3=-1.83012e-002, A4=1.87727e-002, 
A5=6.51519e-003, A6=-5.70449e-002, A8=1.11618e-002, 
A10=6.09234e-003, A12=-8.37515e-004, A14=-2.32603e-004
第16面
K=5.42787e-001, A3=-1.27642e-001, A4=-6.26001e-002, 
A5=2.62835e-002, A6=1.77640e-002, A8=1.40702e-003, 
A10=1.48137e-004, A12=-3.12846e-004, A14=3.53889e-005
第17面
K=-2.45806e+001, A3=3.33841e-002, A4=-1.74153e-001, 
A5=1.25330e-001, A6=-3.31086e-002, A8=6.08087e-004, 
A10=1.16042e-004, A12=-2.85915e-005, A14=2.44691e-006
【０１１３】
実施例７の撮像レンズの特性を以下に列挙する。
FL        3.468
Fno       1.45
w        79.95
Ymax      2.921
BF        0.751
TL        5.214
BFa       0.713
TLa       5.176
【０１１４】
実施例７の単レンズデータを以下の表２１に示す。
〔表２１〕
Elem   Surfs   Focal Length    Diameter
1     2- 3    -33.2533        2.707
2     4- 5      2.8474        2.590
3     7- 8     -5.2467        2.389
4    10-11      9.1005        2.575
5    12-13    -11.4174        2.777
6    14-15      3.0390        3.258
7    16-17     -2.4688        4.900
【０１１５】
図１７は、実施例７の撮像レンズ１７等の断面図である。撮像レンズ１７は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有し像側に凸面を向けた略平凸の第４レンズＬ４と、光軸ＡＸ周辺で負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１１６】
図１８（Ａ）〜１８（Ｃ）は、実施例７の撮像レンズ１７の諸収差図（球面収差、非点収差、歪曲収差）を示し、図１８（Ｄ）及び１８（Ｅ）は、実施例７の撮像レンズ１７の横収差を示している。
【０１１７】
〔実施例８〕
実施例８のレンズ面のデータを以下の表２２に示す。
〔表２２〕
面番号    r           d          nd     vd     eff. dia.
1 FS  INFINITY      0.1900                     2.720
2*     -2.0640      0.3010   1.54000   45      2.702
3*     -2.5035      0.2330                     2.303
STO    INFINITY     -0.0800                     2.369
5*      2.2172      0.8051   1.54470   56      2.550
6*     -3.9551      0.0500                     2.533
7 FS  INFINITY      0.0000                     2.400
8*      2.6308      0.1500   1.63469   23.9    2.418
9*      1.4371      0.3675                     2.533
10*     -3e+003      0.5420   1.54470   56      2.602
11*     -4.6031      0.1093                     2.620
12*      3.1977      0.2000   1.63469   23.9    2.543
13*      2.0191      0.3014                     2.699
14*      4.9249      0.4349   1.54000   45      2.816
15*     -2.1746      0.5174                     3.152
16*     -4.7441      0.3164   1.54470   56      3.711
17*      1.9953      0.4000                     4.616
18     INFINITY      0.1100   1.51633   64.1    5.391
19     INFINITY      0.2534
【０１１８】
実施例８のレンズ面の非球面係数を以下の表２３に示す。
〔表２３〕
第2面
K=0.00000e+000, A4=1.18496e-001, A6=-1.08715e-002, 
A8=6.53424e-004, A10=-1.87619e-003, A12=1.05565e-003, 
A14=-1.99488e-004
第3面
K=0.00000e+000, A4=1.30967e-001, A6=-3.82055e-003, 
A8=1.83699e-003, A10=-1.74657e-003, A12=1.37785e-003, 
A14=-4.68160e-004
第5面
K=-1.58016e-001, A4=-7.22487e-003, A6=1.96485e-003, 
A8=-3.49944e-003, A10=2.38231e-003, A12=-8.74902e-004, 
A14=-3.10344e-005
第6面
K=3.99718e+000, A4=5.42379e-003, A6=4.64837e-003, 
A8=-5.51843e-003, A10=2.98692e-003, A12=-3.23195e-004, 
A14=-1.38998e-004
第8面
K=-8.84856e-001, A4=-1.25294e-001, A6=5.26371e-002, 
A8=-5.16284e-003, A10=-2.93759e-002, A12=1.95055e-002, 
A14=-4.41679e-003
第9面
K=-3.20126e+000, A3=-1.01762e-002, A4=-1.51424e-002, 
A5=-6.73742e-002, A6=8.69116e-002, A8=-2.69992e-002, 
A10=-3.12997e-003, A12=3.46931e-003, A14=-1.13281e-003
第10面
K=-8.00000e+001, A3=-3.37845e-003, A4=9.41367e-002, 
A5=-1.62505e-001, A6=1.41797e-001, A8=-9.17879e-002, 
A10=7.39969e-002, A12=-3.12384e-002, A14=4.92381e-003
第11面
K=-5.84934e+001, A3=-1.92715e-003, A4=-9.41768e-002, 
A5=7.52025e-003, A6=2.74069e-002, A8=-5.21631e-002, 
A10=3.31542e-002, A12=-5.89766e-003
第12面
K=-1.21120e+001, A3=-2.45539e-002, A4=-2.69353e-001, 
A5=1.18346e-001, A6=1.63695e-002, A8=-3.13570e-002, 
A10=-1.95222e-002, A12=1.38046e-002
第13面
K=1.05933e+000, A3=-1.96768e-002, A4=-4.07223e-001, 
A5=1.73465e-001, A6=3.43064e-002, A8=-5.56597e-002, 
A10=9.01372e-003, A12=-1.45351e-003, A14=9.96933e-004
第14面
K=-1.22865e+000, A3=-2.14395e-002, A4=-6.76967e-003, 
A5=-2.41383e-002, A6=-4.07694e-002, A8=9.68868e-004, 
A10=2.41787e-002, A12=-1.91126e-002, A14=3.95700e-003
第15面
K=-4.91745e+000, A3=-1.15474e-002, A4=2.44653e-002, 
A5=9.82954e-003, A6=-5.62544e-002, A8=1.08070e-002, 
A10=5.84553e-003, A12=-9.12457e-004, A14=-2.11530e-004
第16面
K=6.05456e-001, A3=-1.24505e-001, A4=-6.21168e-002, 
A5=2.61098e-002, A6=1.75575e-002, A8=1.30561e-003, 
A10=1.17113e-004, A12=-3.16955e-004, A14=3.79497e-005
第17面
K=-2.31247e+001, A3=4.10107e-002, A4=-1.76061e-001, 
A5=1.24745e-001, A6=-3.32487e-002, A8=6.17052e-004, 
A10=1.19239e-004, A12=-2.82415e-005, A14=2.46103e-006
【０１１９】
実施例８の撮像レンズの特性を以下に列挙する。
FL        3.235
Fno       1.45
w        83.95
Ymax      2.921
BF        0.763
TL        5.201
BFa       0.726
TLa       5.164
【０１２０】
実施例８の単レンズデータを以下の表２４に示す。
〔表２４〕
Elem   Surfs   Focal Length    Diameter
1     2- 3    -28.6566        2.702
2     5- 6      2.7341        2.550
3     8- 9     -5.2461        2.533
4    10-11      8.4631        2.620
5    12-13     -9.2400        2.699
6    14-15      2.8548        3.152
7    16-17     -2.5366        4.616
【０１２１】
図１９は、実施例８の撮像レンズ１８等の断面図である。撮像レンズ１８は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有し像側に凸面を向けた略平凸の第４レンズＬ４と、光軸ＡＸ周辺で負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳが配置されている。
【０１２２】
図２０（Ａ）〜２０（Ｃ）は、実施例８の撮像レンズ１８の諸収差図（球面収差、非点収差、歪曲収差）を示し、図２０（Ｄ）及び２０（Ｅ）は、実施例８の撮像レンズ１８の横収差を示している。
【０１２３】
〔実施例９〕
実施例９のレンズ面のデータを以下の表２５に示す。
〔表２５〕
面番号    r           d        nd       vd     eff. dia.
1 FS  INFINITY      0.1500                     2.731
2*     -2.6706      0.3296   1.54000   45      2.700
3*     -3.2929      0.0600                     2.457
4*      2.2844      0.7398   1.54470   56      2.590
5*     -4.1005      0.0000                     2.559
STO    INFINITY      0.0500                     2.303
7*      2.5691      0.1521   1.63469   23.9    2.348
8*      1.4190      0.3641                     2.440
9*     66.8998      0.5517   1.54470   56      2.530
10*     -5.8282      0.1438                     2.572
11*      2.8561      0.2057   1.63469   23.9    2.521
12*      2.0286      0.3087                     2.740
13*      6.5565      0.4566   1.54000   45      2.839
14*     -1.8976      0.4925                     3.180
15*     -6.9919      0.3237   1.54470   56      3.760
16*      1.6938      0.4000                     4.800
17     INFINITY      0.1100   1.51633   64.1    5.540
18     INFINITY      0.2842
【０１２４】
実施例９のレンズ面の非球面係数を以下の表２６に示す。
〔表２６〕
第2面
K=0.00000e+000, A4=9.16532e-002, A6=-9.16032e-003, 
A8=7.97003e-004, A10=-2.44461e-003, A12=9.93359e-004, 
A14=-1.60545e-004
第3面
K=0.00000e+000, A4=1.22767e-001, A6=-4.55167e-003, 
A8=3.25643e-003, A10=-2.03848e-003, A12=1.09725e-003, 
A14=-5.37144e-004
第4面
K=-3.39603e-002, A4=-4.44855e-003, A6=2.67814e-003, 
A8=-3.89527e-003, A10=2.20568e-003, A12=-8.52325e-004, 
A14=6.17824e-005
第5面
K=4.37643e+000, A4=3.12511e-003, A6=4.09462e-003, 
A8=-5.52487e-003, A10=3.11865e-003, A12=-2.24483e-004, 
A14=-1.15244e-004
第7面
K=-6.85310e-001, A4=-1.23806e-001, A6=5.37161e-002, 
A8=-4.75671e-003, A10=-2.95537e-002, A12=1.94245e-002, 
A14=-4.23367e-003
第8面
K=-3.30919e+000, A3=-8.03043e-003, A4=-1.40659e-002, 
A5=-6.66366e-002, A6=8.69486e-002, A8=-2.68318e-002, 
A10=-2.70449e-003, A12=3.74888e-003, A14=-1.17261e-003
第9面
K=7.99995e+001, A3=-2.34135e-003, A4=9.44466e-002, 
A5=-1.62610e-001, A6=1.41719e-001, A8=-9.17599e-002, 
A10=7.40113e-002, A12=-3.12266e-002, A14=4.92241e-003
第10面
K=-5.81439e+001, A3=1.80776e-003, A4=-8.98844e-002, 
A5=9.12266e-003, A6=2.73600e-002, A8=-5.29650e-002, 
A10=3.27949e-002, A12=-5.99956e-003
第11面
K=-1.40404e+001, A3=-1.90986e-002, A4=-2.71438e-001, 
A5=1.16967e-001, A6=1.61024e-002, A8=-3.12765e-002, 
A10=-1.97047e-002, A12=1.34335e-002
第12面
K=1.05724e+000, A3=-1.76875e-002, A4=-4.06576e-001, 
A5=1.72175e-001, A6=3.27509e-002, A8=-5.61915e-002, 
A10=9.16470e-003, A12=-1.31945e-003, A14=8.90122e-004
第13面
K=8.22699e-001, A3=-1.98752e-002, A4=-4.61988e-003, 
A5=-2.03266e-002, A6=-3.91889e-002, A8=-2.02502e-004, 
A10=2.44918e-002, A12=-1.89130e-002, A14=3.93057e-003
第14面
K=-4.36675e+000, A3=-1.57478e-002, A4=2.28844e-002, 
A5=1.08313e-002, A6=-5.52604e-002, A8=1.13348e-002, 
A10=5.82050e-003, A12=-9.68878e-004, A14=-2.02210e-004
第15面
K=5.78851e+000, A3=-1.27661e-001, A4=-7.07918e-002, 
A5=2.33788e-002, A6=1.74878e-002, A8=1.69955e-003, 
A10=1.79249e-004, A12=-3.13589e-004, A14=3.42863e-005
第16面
K=-1.46157e+001, A3=3.24757e-002, A4=-1.81800e-001, 
A5=1.31878e-001, A6=-3.43686e-002, A8=3.81662e-004, 
A10=1.49157e-004, A12=-2.27321e-005, A14=1.37729e-006
【０１２５】
実施例９の撮像レンズの特性を以下に列挙する。
FL        3.284
Fno       1.45
w        82.17
Ymax      2.921
BF        0.794
TL        5.122
BFa       0.757
TLa       5.085
【０１２６】
実施例９の単レンズデータを以下の表２７に示す。
〔表２７〕
Elem   Surfs   Focal Length    Diameter
1     2- 3    -32.1338        2.700
2     4- 5      2.8081        2.590
3     7- 8     -5.2642        2.440
4     9-10      9.8688        2.572
5    11-12    -12.2099        2.740
6    13-14      2.7780        3.180
7    15-16     -2.4707        4.800
【０１２７】
図２１は、実施例９の撮像レンズ１９等の断面図である。撮像レンズ１９は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有し像側に凸面を向けた略平凸の第４レンズＬ４と、光軸ＡＸ周辺で負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側には、遮光絞りＦＳが配置されている。
【０１２８】
図２２（Ａ）〜２２（Ｃ）は、実施例９の撮像レンズ１９の諸収差図（球面収差、非点収差、歪曲収差）を示し、図２２（Ｄ）及び２２（Ｅ）は、実施例９の撮像レンズ１９の横収差を示している。
【０１２９】
〔実施例１０〕
実施例１０のレンズ面のデータを以下の表２８に示す。
〔表２８〕
面番号    r           d        nd       vd     eff. dia.
1 FS  INFINITY      0.1500                     2.700
2*     -4.1482      0.3069   1.54470   56      2.573
3*     -5.3036      0.2479                     2.471
STO    INFINITY     -0.1979                     2.480
5*      2.1867      0.7201   1.54470   56      2.598
6*     -9.4776      0.0533                     2.524
7*      3.2637      0.1591   1.63469   23.9    2.407
8*      1.6582      0.3000                     2.403
9 FS  INFINITY     -0.0300                     2.360
10*      4.9743      0.4519   1.54470   56      2.472
11*    -19.1666      0.3289                     2.503
12*      2.6601      0.2042   1.63469   23.9    2.453
13*      2.2169      0.3338                     2.645
14*      7.6349      0.7167   1.54470   56      2.800
15*     -2.0275      0.4107                     3.300
16*     -3.5168      0.3493   1.54470   56      3.480
17*      1.8358      0.4000                     4.760
18     INFINITY      0.1100   1.51633   64.1    5.600
19     INFINITY      0.2649
【０１３０】
実施例１０のレンズ面の非球面係数を以下の表２９に示す。
〔表２９〕
第2面
K=0.00000e+000, A4=5.96877e-002, A6=-1.15602e-003, 
A8=-9.60282e-004, A10=-3.09630e-003, A12=1.44483e-003, 
A14=-2.28463e-004
第3面
K=0.00000e+000, A4=9.04162e-002, A6=-1.93363e-003, 
A8=3.49298e-003, A10=-4.32480e-003, A12=-3.27685e-004, 
A14=2.18563e-004
第5面
K=2.79466e-001, A4=-1.22985e-004, A6=1.10119e-003, 
A8=-8.40028e-004, A10=2.41108e-003, A12=-1.32580e-003, 
A14=2.79306e-004
第6面
K=3.66669e+001, A4=-1.83739e-002, A6=1.96437e-002, 
A8=-4.93325e-003, A10=1.92883e-003, A12=-2.82615e-004, 
A14=1.48358e-005
第7面
K=-1.37230e+000, A4=-1.27878e-001, A6=5.49794e-002, 
A8=-5.58528e-003, A10=-3.18575e-002, A12=1.85001e-002, 
A14=-4.26671e-003
第8面
K=-4.10535e+000, A3=-9.49133e-003, A4=-1.73177e-002, 
A5=-6.85814e-002, A6=8.21449e-002, A8=-2.92922e-002, 
A10=-3.39264e-003, A12=3.13129e-003, A14=-5.58880e-004
第10面
K=-1.47619e+001, A3=-2.34465e-002, A4=9.12355e-002, 
A5=-1.58548e-001, A6=1.40968e-001, A8=-9.82761e-002, 
A10=7.27274e-002, A12=-2.95451e-002, A14=4.72464e-003
第11面
K=-8.00000e+001, A3=-8.73072e-003, A4=-7.62082e-002, 
A5=1.17446e-002, A6=2.39115e-002, A8=-5.41515e-002, 
A10=3.19100e-002, A12=-5.54421e-003
第12面
K=-1.36579e+001, A3=6.48169e-003, A4=-2.54841e-001, 
A5=1.17885e-001, A6=1.14566e-002, A8=-3.24245e-002, 
A10=-1.94061e-002, A12=1.18033e-002
第13面
K=1.47635e+000, A3=1.14752e-002, A4=-4.01103e-001, 
A5=1.69711e-001, A6=3.15451e-002, A8=-5.44365e-002, 
A10=9.05868e-003, A12=-1.25098e-003, A14=1.14482e-003
第14面
K=7.69308e+000, A3=-2.45655e-003, A4=-5.10921e-002, 
A5=-1.74267e-002, A6=-1.59404e-002, A8=-1.19933e-002, 
A10=2.64976e-002, A12=-1.67167e-002, A14=3.22577e-003
第15面
K=-6.53250e+000, A3=-6.40765e-003, A4=-1.04050e-002, 
A5=1.08573e-002, A6=-4.68058e-002, A8=1.22102e-002, 
A10=3.54713e-003, A12=-1.45410e-003, A14=1.06181e-004
第16面
K=2.37754e+000, A3=-6.76175e-002, A4=-1.09426e-001, 
A5=2.83541e-002, A6=2.10496e-002, A8=9.86885e-004, 
A10=1.47129e-004, A12=-3.14647e-004, A14=7.01794e-005
第17面
K=-1.48036e+001, A3=2.43759e-002, A4=-1.75141e-001, 
A5=1.24696e-001, A6=-3.05571e-002, A8=-1.66295e-004, 
A10=2.62886e-004, A12=-3.66610e-005, A14=1.79919e-006
【０１３１】
実施例１０の撮像レンズの特性を以下に列挙する。
FL        3.613
Fno       1.49
w        76.69
Ymax      2.921
BF        0.775
TL        5.280
BFa       0.737
TLa       5.242
【０１３２】
実施例１０の単レンズデータを以下の表３０に示す。
〔表３０〕
Elem   Surfs   Focal Length    Diameter
1     2- 3    -38.5706        2.573
2     5- 6      3.3345        2.598
3     7- 8     -5.5236        2.407
4    10-11      7.2987        2.503
5    12-13    -25.5295        2.645
6    14-15      3.0202        3.300
7    16-17     -2.1646        4.760
【０１３３】
図２３は、実施例１０の撮像レンズ２０等の断面図である。撮像レンズ２０は、物体側より順に、光軸ＡＸ周辺で弱い負の屈折力を有し像側に凸面を向けたメニスカスの第１レンズＬ１と、光軸ＡＸ周辺で正の屈折力を有する両凸の第２レンズＬ２と、光軸ＡＸ周辺で負の屈折力を有し物体側に凸面を向けたメニスカスの第３レンズＬ３と、光軸ＡＸ周辺で正の屈折力を有する両凸の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１３４】
図２４（Ａ）〜２４（Ｃ）は、実施例１０の撮像レンズ２０の諸収差図（球面収差、非点収差、歪曲収差）を示し、図２４（Ｄ）及び２４（Ｅ）は、実施例１０の撮像レンズ２０の横収差を示している。
【０１３５】
以下の表３１は、参考のため、各条件式（１）〜（１０）に対応する各実施例１〜１０の値をまとめたものである。
〔表３１〕
2015072404.tif 000004
【０１３６】
以上では、実施形態や実施例に即して本発明を説明したが、本発明は、上記実施形態等に限定されるものではない。例えば、開口絞りＡＳは、これに隣接する１つ又は２つのレンズの外側に延びるフランジ部に固定するものに限らず、鏡筒部分５４ａに直接的に支持させることができる。遮光絞りＦＳも、これに隣接する１つ又は２つのレンズの外側に延びるフランジ部に固定するものに限らず、鏡筒部分５４ａに直接的に支持させることができる。
【０１３７】
開口絞りＡＳや遮光絞りＦＳは、金属板に限らず、樹脂又はセラミックスの板状部材とすることができ、レンズのフランジ部を遮光性の材料で塗装することによっても組み込むことができる。さらに、開口絞りＡＳや遮光絞りＦＳは、完全な遮光体に限らず、口径外で減光を行うものであってもよい。遮光絞りＦＳを遮光板等とする場合、一対のレンズ間に複数の遮光板等を配置することもできる。
【０１３８】
１０，１１〜２６…撮像レンズ、  ５０…カメラモジュール、  ５１…撮像素子、  １００…撮像装置、  ３００…携帯通信端末、  ＡＸ…光軸、  Ｌ１−Ｌ７…レンズ、  ＡＳ，ＦＳ…絞り
【図１】
2015072404.tif 000005
【図２】
2015072404.tif 000006
【図３】
2015072404.tif 000007
【図４】
2015072404.tif 000008
【図５】
2015072404.tif 000009
【図６】
2015072404.tif 000010
【図７】
2015072404.tif 000011
【図８】
2015072404.tif 000012
【図９】
2015072404.tif 000013
【図１０】
2015072404.tif 000014
【図１１】
2015072404.tif 000015
【図１２】
2015072404.tif 000016
【図１３】
2015072404.tif 000017
【図１４】
2015072404.tif 000018
【図１５】
2015072404.tif 000019
【図１６】
2015072404.tif 000020
【図１７】
2015072404.tif 000021
【図１８】
2015072404.tif 000022
【図１９】
2015072404.tif 000023
【図２０】
2015072404.tif 000024
【図２１】
2015072404.tif 000025
【図２２】
2015072404.tif 000026
【図２３】
2015072404.tif 000027
【図２４】
2015072404.tif 000028